(57)【要約】      （修正有）【課題】フレッシュなホットドリンクを即時に急速冷却し、コールドドリンクにして供給するフレッシュ・コールドドリンク供給機の提供。【解決手段】熱水供給モジュール２、抽出槽３、冷却チャンバ４及び冷却モジュール５を包含し、冷却モジュール５は冷却チャンバ４内にある冷却媒体を冷却し、且つ冷却チャンバ４内にはドリンク冷却セットが設けられ、ドリンク冷却セットは冷却チャンバ４内部を貫通するドリンク送出し経路を設け、その一端を抽出槽３に接続し、もう一端をドリンク供給口６１に設けており、また、ドリンク送出し経路にドリンク促進モジュール７を設けることができ、抽出槽３に入れた抽出対象に熱水供給モジュール２の熱水を注ぎ入れてホットドリンクを形成したら、ドリンク促進モジュール７は抽出槽３内にあるホットドリンクをドリンク送出し経路内に直接流し込むことで、ホットドリンクを冷却媒体と即時に熱交換作用を発生させる。【選択図】図５
0003201536.tif 000002
【実用新案登録請求の範囲】
【請求項１】
本体、及び前記本体内部に設ける、   熱水の供給が可能な熱水出口と、前記熱水出口の開閉を制御する第一制御バルブとを設ける熱水供給モジュールと、   前記熱水出口から供給される熱水を受けることができ、飲用一回分の供給量を蓄積することができる収容空間を有する抽出槽と、   内部に冷却媒体を充填する冷却チャンバと、   前記冷却チャンバと連結し合う冷却ユニットを有し、前記冷却チャンバ内にある冷却媒体を冷却することができる冷却モジュールと、   前記冷却チャンバ内部に設置し、前記冷却媒体との間で熱交換作用を形成し、その一端を前記抽出槽に接続し、もう一端をドリンク供給口に設け、前記抽出槽との間に第二制御バルブを設けるドリンク冷却セットと、を包括することを特徴とするフレッシュ・コールドドリンク供給機。
【請求項２】
前記ドリンク冷却セットは、前記冷却チャンバ内部を貫通し、前記冷却媒体との間で熱交換作用を形成し、その一端を前記抽出槽に接続し、もう一端をドリンク供給口に設けるドリンク送出し経路と、前記ドリンク送出し経路上に設けることで、前記抽出槽内にある前記ホットドリンクが前記ドリンク送出し経路を通過し、前記ドリンク供給口を介して迅速に供給されるドリンク促進モジュールと、をさらに設置することを特徴とする請求項１に記載のフレッシュ・コールドドリンク供給機。
【請求項３】
前記ドリンク促進モジュールは、ポンプであることを特徴とする請求項２に記載のフレッシュ・コールドドリンク供給機。
【請求項４】
前記ドリンク促進モジュールは、前記ドリンク送出し経路上に設ける圧力転換室と、前記圧力転換室に連通する負圧源と、前記圧力転換室に連通する正圧源とをさらに包括することを特徴とする請求項２に記載のフレッシュ・コールドドリンク供給機。
【請求項５】
前記ドリンク送出し経路において、前記負圧源は第三制御バルブを介して前記圧力転換室に連通し、前記正圧源は第四制御バルブを介して前記圧力転換室に連通し、前記抽出槽は前記ドリンク送出し経路を介して前記圧力転換室に連通し、前記圧力転換室は前記ドリンク送出し経路を介して前記ドリンク供給口連通することを特徴とする請求項４に記載のフレッシュ・コールドドリンク供給機。
【請求項６】
前記負圧源は、前記圧力転換室に連通する負圧タンクと、前記負圧タンクに連通する負圧製造機とを包括することを特徴とする請求項４或いは５に記載のフレッシュ・コールドドリンク供給機。
【請求項７】
前記正圧源は、前記圧力転換室に連通する正圧タンクと、前記正圧タンクに連通する正圧製造機とを包括することを特徴とする請求項４或いは５に記載のフレッシュ・コールドドリンク供給機。
【請求項８】
前記抽出槽と前記熱水出口との間に濾過器を設けることを特徴とする請求項１乃至７のいずれかに記載のフレッシュ・コールドドリンク供給機。
【請求項９】
前記熱水供給モジュールは、前記熱水出口に接続する熱水槽と、前記熱水槽内に設ける少なくとも一つの加熱素子とを包括することを特徴とする請求項１乃至８のいずれかに記載のフレッシュ・コールドドリンク供給機。
【請求項１０】
前記冷却モジュールは、前記冷却ユニットに接続する圧縮機を包括し、前記冷却ユニットは、前記冷却チャンバにある熱伝導を作用させる外壁に接触することを特徴とする請求項１乃至９のいずれかに記載のフレッシュ・コールドドリンク供給機。
【請求項１１】
前記ドリンク冷却セットは、前記冷却チャンバ内に設ける冷却螺旋管を有することを特徴とする請求項１乃至１０のいずれかに記載のフレッシュ・コールドドリンク供給機。
【請求項１２】
前記冷却螺旋管は、可塑性プラスチックチューブが螺旋することにより構成することを特徴とする請求項１１に記載のフレッシュ・コールドドリンク供給機。
【請求項１３】
前記抽出槽の外壁は、加熱器を繞設することを特徴とする請求項１乃至１２のいずれかに記載のフレッシュ・コールドドリンク供給機。
【請求項１４】
前記本体上の前記ドリンク供給口の下方に、排水槽を設けることを特徴とする請求項１乃至１３のいずれかに記載のフレッシュ・コールドドリンク供給機。
【請求項１５】
前記熱水出口は、前記抽出槽内に入り込み、その外壁に前記抽出槽内で熱水を放射状に呈するように噴出する複数の噴水孔を設ける熱水供給器を設置することを特徴とする請求項１乃至１４のいずれかに記載のフレッシュ・コールドドリンク供給機。
【請求項１６】
前記抽出槽は、前記抽出槽内に入り込む撹拌部材を設ける撹拌器を設置することを特徴とする請求項１乃至１５のいずれかに記載のフレッシュ・コールドドリンク供給機。
【考案の詳細な説明】
【技術分野】
【０００１】
本考案は、特にフレッシュなホットドリンクを即時に急速冷却し、コールドドリンクにして供給するフレッシュ・コールドドリンク供給機に関するものである。
【背景技術】
【０００２】
従来の紅茶、緑茶、ミルクティー及びコーヒー等のコールドドリンクの販売方法は、通常、茶葉、ミルク、コーヒー或いはハーブ等の抽出対象を準備し、熱水を加えてホットドリンクを形成し、そのホットドリンクを常温状態まで自然冷却した後、氷を加えてコールドドリンクを形成している。また、一般的によく見かけるコールドドリンクマシーンは、主にコールドドリンクマシーン内に冷蔵機能を有する前置容器を設置しており、予め抽出したドリンクを前記前置容器内に保存することで、前記ドリンクを予め冷却してコールドドリンクにし、この冷却状態を長時間維持しており、前記ドリンクを飲用したい場合、前記前置容器のドリンク供給口を介して前記ドリンクを手に保持しているドリンク容器内に注ぐことで、使用者に飲用を提供している。
【０００３】
上述した従来のコールドドリンク技術は、いずれも予め抽出したドリンクの冷却を待った後でないと、ドリンク内に氷を入れることができない、或いは、ドリンクをコールドドリンクマシーンの前置容器内に収容し、コールドドリンクマシーンにある冷却機能を用いてドリンクに対して長時間の冷却及び低温を維持することにより、ドリンクの供給を待っている。しかし、周知技術では、ドリンクを即座に抽出して冷却し、これを供給することができないため、ドリンクは、長時間の冷却過程において、外気に接触して変質し易くなることで、衛生条件を維持し辛いという問題を引き起こし、また、供給するドリンクの冷却温度を安定的に維持するためには、前記容器内のドリンクを低温に維持させるための冷却装置によって供給するドリンクを継続的に冷却し続けなければならず、その一方で、低温に維持させるための冷却装置は、ドリンクを大量に提供することができるように、前置容器内において、新たに抽出したドリンクを不定時的に補充しなければならず、さらに、ドリンクを低温に維持させるためのエネルギー消費量及び供給するコールドドリンクの温度の安定性が大きな課題となっている。また、ドリンク内に氷を加えることは、抽出対象と水との比率を変えてその味に影響を与えるだけでなく、氷の管理不十分等によってドリンクの衛生に影響を及ぼす可能性がある。
【０００４】
また、これ以外にも、従来のコールドドリンクマシーンは、いずれも水は低い所に流れるという自然現象によって、内部に貯蔵するドリンクを供給することから、コールドドリンクマシーン内部におけるドリンクの貯蔵及び冷却モジュールを順次上下に設置しなければならず、コールドドリンクマシーンの体積が肥大して空間を占領するという問題を引き起こしてしまい、且つドリンクがコールドドリンクマシーン内部から自然に流出する速度は速くないことから、コールドドリンクの流速が遅くて供給速度を向上することが難しいという問題を引き起こし、特に、コールドドリンクマシーン内にあるドリンク貯蔵量が足りないと、ドリンクの流速はさらに遅くなり、しいては供給できない状況になり、使用上とても不便なものとなってしまう。
【考案の概要】
【考案が解決しようとする課題】
【０００５】
上述した従来のコールドドリンクマシーン技術にある衛生面の欠如、氷を加えることによって味に影響を及ぼすこと、エネルギー消費量が大きいこと、ドリンクの供給温度の不安定、体積が大きいこと及びドリンクが自然に流出する速度が遅くて使用上不便であること等の課題を解決するため、本考案の主要な目的は、フレッシュなホットドリンクを即時に急速冷却してコールドドリンクにし、且つそれを迅速に供給することが可能なフレッシュ・コールドドリンク供給機を提供することにある。
【課題を解決するための手段】
【０００６】
上述の目的を達成するため、本考案は、本体、及び前記本体内部に設ける、熱水の供給が可能な熱水出口を設ける熱水供給モジュールと、前記熱水出口から供給される熱水を受けることができ、少なくとも一回分の供給量を蓄積することができる収容空間を有する抽出槽と、内部に冷却媒体を充填する冷却チャンバと、前記冷却チャンバと連結し合う冷却ユニットを有し、前記冷却チャンバ内にある冷却媒体を冷却することができる冷却モジュールと、前記冷却チャンバ内部を貫通するドリンク送出し経路を設け、前記ドリンク送出し経路と前記冷却媒体との間で熱交換作用を形成し、前記ドリンク送出し経路の一端を前記抽出槽に接続し、もう一端をドリンク供給口に設けるドリンク冷却セットとを包括するフレッシュ・コールドドリンク供給機を提供している。
【０００７】
上述したことから、使用する場合、まず、茶葉、ミルク、コーヒー或いはハーブ等の抽出対象を前記抽出槽内に入れ、前記熱水出口を介して前記熱水供給モジュールの熱水を前記抽出槽内にある抽出対象に対して注ぎ入れ、熱水によって抽出対象からホットドリンクを形成し、その後、前記抽出槽内にある前記ホットドリンクは、前記ドリンク冷却セットの前記ドリンク送出し経路内に直接流れ込み、前記ドリンク送出し経路を通過して前記ドリンク供給口から迅速に供給されている。この期間中、前記ホットドリンクは、前記ドリンク冷却セットの前記ドリンク送出し経路内において、前記冷却チャンバ内にある前記冷却媒体と熱交換作用を発生させてコールドドリンクを形成させ、前記コールドドリンクは前記ドリンク供給口を介して供給されることから、使用上とても便利なものとなる。また、前記抽出槽内にある前記ホットドリンクが前記ドリンク送出し経路を通過し、前記ドリンク供給口を介して迅速に供給されることを促進するためのドリンク促進モジュールを前記ドリンク送出し経路上に設け、前記ドリンク促進モジュールは、強制的に前記抽出槽内にある前記ホットドリンクを前記ドリンク冷却セットの前記ドリンク送出し経路及び前記ドリンク供給口に迅速に通過させることから、前記本体内部にあるドリンクを迅速に供給できるように促進する能力を備えている。このため、本考案に係る、前記熱水供給モジュール、前記抽出槽、前記冷却チャンバ、前記冷却モジュール、前記ドリンク冷却セット及び前記ドリンク促進モジュールは、上下に設置しなければならないという配置関係に制限されることがないため、体積を大幅に縮小することができ、占用空間を低減することができる。
【０００８】
このことから、本考案は、従来の予めコールドドリンクを貯蔵することでコールドドリンクが変質し易く且つ不衛生等という問題を未然に防ぐため、前記抽出槽で抽出したてのフレッシュなホットドリンクを前記ドリンク冷却セットの前記ドリンク送出し経路及び前記冷却チャンバの前記冷却媒体により、即時に熱交換を行って急速に冷却することでコールドドリンクとし、且つ前記抽出槽の収容空間は飲用一回分の供給量を提供することで、予め冷蔵せずに即時に提供できるという効果を達成しており、これにより、ドリンクの衛生面及び好ましいフレッシュな風味を確保し、且つ一定の温度管理及び冷却経路を介し、ドリンクの供給温度を安定させることができるため、エネルギーを節約することができる。また、前記ドリンク冷却セットの前記ドリンク送出し経路上にさらに設置する前記ドリンク促進モジュールによって、前記抽出槽が飲用一回分の供給量のドリンクしかない、即ちドリンクの供給量が不足している場合であっても、前記本体内部の動力を用いて飲用一回分の供給量を供給することを全自動的に促進することで、ドリンクを迅速に供給することを促進するという効果を達成し、コールドドリンクの供給速度を大幅に向上させ、便利性及び実用的効果を向上している。
【０００９】
上述した主要な構成において、前記ドリンク促進モジュールは、ポンプであって、使用する際、前記ポンプによって前記抽出槽内にあるドリンクが前記ドリンク送出し経路及び前記ドリンク供給口を通過して供給されるように促進している。
【００１０】
また、前記ドリンク促進モジュールは、前記ドリンク送出し経路上に設ける圧力転換室と、前記圧力転換室に連通する負圧源と、前記圧力転換室に連通する正圧源とをさらに包括し、前記ドリンク送出し経路、前記負圧源及び前記正圧源はそれぞれ前記制御バルブを介して前記圧力転換室に連通し、前記制御バルブは、まず、前記負圧源が前記圧力転換室に連通する区間と、前記抽出槽が前記ドリンク送出し経路を介して前記圧力転換室に連通する区間とを順次開閉し、その後、前記正圧源が前記圧力転換室に連通する区間と、前記圧力転換室とを順次開閉し、さらに前記ドリンク送出し経路を介して前記ドリンク供給口に連通している。使用する際、前記圧力転換室は、前記ドリンク送出し経路を介して前記抽出槽に連通すると同時に、前記圧力転換室は前記負圧源の働きによって負圧吸引力が発生することで、前記抽出槽にあるドリンクを前記ドリンク送出し経路を介して前記圧力転換室に送り込み、その後、前記圧力転換室は前記ドリンク送出し経路を介して前記ドリンク供給口に連通すると同時に、前記圧力転換室は前記正圧源の働きによって正圧押出力が発生することで、前記圧力転換室にあるドリンクを前記ドリンク送出し経路及び前記抽出槽を介して供給することを促進している。これにより、抽出対象から完全に溶解されていなかったり、粉末状粒子、果肉或いは繊維等の固体を有したりする場合、ドリンク中の固体がポンプ内に付着して洗浄し難いという問題を低減することができる。
【００１１】
また、上述した主要な構成において、前記制御バルブは、前記冷却チャンバ外壁に配列するように固定することができる。これにより、前記ドリンク送出し経路、前記圧力転換室、前記負圧源及び前記正圧源はそれぞれ各前記制御バルブに接続し易くなり、取付け取外し、交換及びメンテナンス上の便利性を向上している。
【００１２】
また、上述した主要な構成において、前記負圧源は、前記圧力転換室に連通する負圧タンクと、前記負圧タンクに連通する負圧製造機とを包括し、前記正圧源は、前記圧力転換室に連通する正圧タンクと、前記正圧タンクに連通する正圧製造機とを包括している。
【００１３】
また、上述した主要な構成において、前記ドリンク送出し経路は、螺旋状に設けることができる冷却螺旋管とすることができる。これにより、前記ドリンク冷却セットの前記ドリンク送出し経路と前記冷却チャンバの前記冷却媒体との間で熱交換作用が発生する面積を増加させることができ、ホットドリンクをコールドドリンクに冷却させる速度と効率とを向上している。
【００１４】
また、上述した主要な構成において、前記冷却螺旋管は、可塑性プラスチックチューブが螺旋することにより構成している。前記冷却螺旋管が供給するドリンクが冷却しきれていない場合、前記冷却モジュールが前記冷却チャンバの前記冷却媒体に対する冷却温度をより低下させると消費電力が大きくなり、金属製の冷却螺旋管の長さを長くすることで冷却効果の向上を図ろうとすると、金属製の冷却螺旋管では製造コストが大幅に増加し、メンテナンスや部品の交換等が困難になる上、錆び易くなってしまう。それに引き換え、本考案が用いる可塑性プラスチックチューブ、好ましくはシリコンチューブを用いて前記冷却螺旋管を形成すると、製造コストが低く抑えられる上、部品交換やメンテナンスが行い易い等の効果を発生している。
【００１５】
また、上述した主要な構成において、前記熱水出口は、前記抽出槽内に入り込み、その外壁に前記抽出槽内で熱水を放射状に呈するように噴出する複数の噴水孔を設ける熱水供給器を設置している。これにより、前記熱水出口が前記抽出槽内に向かって熱水を供給する場合、前記熱水は前記熱水供給器の前記噴水孔を介して前記抽出槽に放射状に噴出し、循環水流を形成することで、前記抽出槽内にある抽出対象を均一に分散且つ溶解している。
【００１６】
また、上述した主要な構成において、前記熱水出口は、前記制御バルブを介して前記抽出槽に連通することで、前記熱水出口が前記抽出槽に対して熱水を供給する開閉のタイミングを制御している。
【００１７】
また、上述した主要な構成において、前記抽出槽は、前記抽出槽内に入り込む撹拌部材を設ける撹拌器を設置している。これにより、前記撹拌器の前記撹拌部材は、前記抽出槽内において高速に転動することで、前記抽出槽内にある抽出対象と熱水とを均一に撹拌及び混合している。
【００１８】
また、上述した主要な構成において、前記熱水供給モジュールは、前記熱水出口に接続する熱水槽を包括している。これにより、前記熱水槽は、水を貯水することができる。
【００１９】
また、上述した主要な構成において、前記冷却モジュールは、前記冷却ユニットに接続する圧縮機を包括し、前記冷却ユニットは、前記冷却チャンバにある熱伝導を作用させる外壁に接触している。これにより、前記圧縮機は、冷媒が前記冷却ユニットにおいて循環することを促し、前記冷却ユニット内にある冷媒が前記冷却チャンバにある熱伝導する外壁を介して内部にある前記冷却媒体と熱交換作用を発生することで、前記冷却チャンバ内の前記冷却媒体を冷却している。
【００２０】
また、上述した主要な構成において、前記抽出槽の外壁は、加熱器を繞設している。これにより、前記抽出槽内の熱水及び抽出対象が混合してホットドリンクとなった際、前記抽出槽内のホットドリンクを継続的に加熱し、ホットドリンク中の抽出対象はより好ましい溶解効果を発生させることができる。
【図面の簡単な説明】
【００２１】
【図１】本考案に係る第一実施例を示す斜視図である。
【図２】図１に係る背面を示す斜視図である。
【図３】図１に係る実施例の使用状態を示す局部断面図である。
【図４】図３の次の使用状態を示す局部断面図である。
【図５】本考案に係る第二実施例を示す斜視図である。
【図６】図５に係る斜視分解図である。
【図７】図５をもう一つ方向から示す斜視図である。
【図８】図５に係る局部配線図である。
【図９】図５に係るその他の局部配線図である。
【図１０】図５に係るその他の局部配線図である。
【図１１】図５に係るその他の局部配線図である。
【考案を実施するための形態】
【００２２】
図１乃至図３を併せて参照すると、本考案に係る第一実施例を示すものであって、図示されているとおり、本考案に係るフレッシュ・コールドドリンク供給機は、本体１００と、前記本体１００内部に順次設置する、熱水供給モジュール２００、抽出槽３００、冷却チャンバ４００及び冷却モジュール５００と、前記本体１００内部に設置するドリンク冷却セット６００とを包括している。
【００２３】
前記熱水供給モジュール２００は、熱水槽２１０と、前記熱水槽２１０内に設ける少なくとも一つの加熱素子２２０と、前記熱水槽２１０底部に接続し且つ第一制御バルブ２４０を設ける熱水出口２３０とを包括している。前記加熱素子２２０は、前記熱水槽内で間隔を置いて交互に配列する複数の加熱ユニットからなり、且つ前記加熱ユニットは電熱線を内設する加熱プレートとすることができる。また、前記熱水槽２１０は貯水することが可能で、これ等加熱素子２２０を利用し、自身で加熱して熱水を形成し、前記熱水出口２３０を化して熱水を供給している。さらに、間隔を置いて交互に配列する前記加熱素子２２０も加熱効率の向上に有利で、エネルギーを節約することができる。また、前記熱水供給モジュール２００は、いくつかのパイプ２６０を介して前記熱水槽２１０に接続する揚水ポンプ２５０を包括し、前記熱水槽２１０中の水が不足している場合、前記揚水ポンプ２５０を利用して水を揚水し、前記熱水槽２１０中に補充することができる。
【００２４】
前記抽出槽３００の頂面は、図３のように、前記熱水出口２３０に対応する抽出槽開口３１０を有することで、前記抽出槽前記熱水出口２３０が供給する熱水を受け入れることができ、且つ前記抽出槽３００は、飲用一回分の供給量を蓄積することができる収容空間を有している。また、前記抽出槽３００は、前記熱水出口２３０との間に、濾過器７００を有し、前記濾過器７００は、前記抽出槽３００内に設置することで、前記抽出槽３００の前記抽出槽開口３１０を介して前記熱水出口２３０に対応することができ、且つ前記抽出槽３００内に浸漬することができる。また、前記濾過器７００の頂部は、前記熱水出口２３０に対応する濾過器開口７１０を有し、且つ前記濾過器７００の側面は、図４のように、複数の濾過用通孔７２０を設け、さらに、操作上の利便性を図るため、前記濾過器７００が前記熱水出口２３０或いは前記抽出槽３００に相対する間の距離を調節可能に設けることができ、これにより、浸漬、濾過及び洗浄に対して好ましい操作性を提供することができる。
【００２５】
前記冷却チャンバ４００は、前記抽出槽３００の真下に位置し、その内部には冷却媒体が充填されており、前記冷却媒体を水とすることができる。前記冷却モジュール５００は、前記冷却チャンバ４００と結合し合う冷却ユニット５１０と、前記冷却ユニット５１０に接続する圧縮機５２０を包括している。具体的にいうと、前記冷却ユニット５１０は、冷媒管であって、前記冷媒管内は冷媒が充填されており、前記冷却ユニット５１０は、繞設するように、前記冷却チャンバ４００の一つ或いは一つ以上の外壁に接触しており、前記冷却チャンバ４００は下方にベース１１０を設け、前記圧縮機５２０は前記ベース１１０内に設置することができる。これにより、前記圧縮機５２０は、前記冷却ユニット５１０の冷媒を用い、前記冷却チャンバ４００の外壁を介してその内部にある前記冷却媒体と熱交換作用を発生させ、前記冷却チャンバ４００内部の前記冷却媒体を冷却し、例えば、前記冷却チャンバ４００内にある水を冷却して氷水を形成し、且つ氷水を安定した低温状態に保持している。
【００２６】
前記ドリンク冷却セット６００は、チューブ状とすることで、前記冷却チャンバ４００内部に穿設し、前記冷却媒体との間で熱交換作用を形成し、前記ドリンク冷却セット６００は、その上端が前記抽出槽３００底部に接続し、その下端がドリンク供給口６１０に設置しており、前記抽出槽３００は、前記ドリンク冷却セット６００との間に第二制御バルブ６２０を設けることができる。また、好ましい実施例において、前記ドリンク冷却セット６００は、前記冷却チャンバ４００内に設ける冷却螺旋管であって、前記冷却螺旋管の前記冷却チャンバ４００内を貫通する部分を螺旋形状或いは多重の螺旋形状に設けることができる。これにより、前記ドリンク冷却セット６００が前記冷却チャンバ４００内にある前記冷却媒体と熱交換作用を発生させる面積が増加し、ホットドリンクがコールドドリンクに冷却する速度及び効率を向上している。
【００２７】
なお、本実施例において、前記熱水出口２３０、前記第一制御バルブ２４０、前記ドリンク冷却セット６００及び前記第二制御バルブ６２０は、複数設けることができ、前記第一制御バルブ２４０及び前記第二制御バルブ６２０は、手動バルブ或いは電動バルブとすることができる。
【００２８】
上述したことから、使用する場合、まず、茶葉、ミルク、コーヒー或いはハーブ等の抽出対象を前記濾過器７００内に入れ、前記第一制御バルブ２４０を開くことで、前記熱水出口２３０を介して前記熱水供給モジュール２３０の熱水を前記濾過器７００内にある抽出対象に対して注ぎ入れ、熱水によって抽出対象が溶解して前記抽出槽３００内に流れ込み、ホットドリンクを形成している。上述した抽出対象を前記濾過器７００に入れる方法は、手作業で投入したり、前記本体１００において、抽出対象が自動的に前記濾過器７００内に投入されるような装置を設け、抽出対象が自動的に前記濾過器７００内に投入されるようにすることもできる。
【００２９】
前記抽出槽３００にホットドリンクが満ちると同時に、前記抽出対象が前記濾過器７００によって前記抽出槽３００にあるホットドリンクに浸漬して十分に溶解することで、ホットドリンクの風味を向上させている。その後、図４のように、手動或いは自動制御で前記第二制御バルブ６２０を開き、前記抽出槽３００内にあるホットドリンクを前記ドリンク冷却セット内に流し込み、前記冷却チャンバ４００内にある冷却媒体、即ち氷水と熱交換作用を発生させて冷却し、コールドドリンクを形成してこれを前記ドリンク供給口６１０により使用者に供給している。
【００３０】
このことから、フレッシュなホットドリンクが前記ドリンク冷却セット６００及び前記冷却チャンバ４００により急速冷却が行われてコールドドリンクとなることで、短期間内にフレッシュなコールドドリンクを提供するという効果を達し、ドリンクの衛生面を確保し、且つドリンクの提供温度が安定し、エネルギーを節約することができる。また、前記濾過器７００が前記抽出槽３００内に浸漬するという設計により、抽出対象がホットドリンク内に浸漬することで、抽出対象を熱水に溶解させる時間が増加し、望ましい風味が得られている。
【００３１】
また、好ましい実施例において、前記抽出槽３００の外壁に、電熱線を内設する加熱器３２０を繞設することもできる。これにより、抽出対象が前記濾過器７００によって前記抽出槽３００内にあるホットドリンク中に浸漬する場合、前記加熱器３２０は、前記抽出槽３００内にあるホットドリンクを持続的に加熱し、ホットドリンク中の抽出対象はより好ましい溶解効果を発生させている。
【００３２】
また、好ましい実施例において、前記本体１００上の前記ドリンク供給口６１０の下方に、排水槽１２０を設けている。これにより、前記排水槽１２０は、前記ドリンク供給口６１０が供給する際に漏洩したホットドリンクを受け入れ、衛生環境を確保している。
【００３３】
次に、図５乃至図８を併せて参照すると、本考案に係る第二実施例であって、図示されているとおり、本考案に係るフレッシュ・コールドドリンク供給機は、本体１と、前記本体１内部に設置する、熱水供給モジュール２、抽出槽３、冷却チャンバ４、冷却モジュール５、ドリンク冷却セット６及びドリンク促進モジュール７を包括している。前記熱水供給モジュール２は、熱水を供給することが可能な熱水出口２１を設け、且つ前記熱水出口２１に接続する熱水槽２０と、前記熱水槽２０内に設ける図４にあるような加熱器２２とを包括し、前記熱水槽２０は貯水することができ、且つ前記加熱器２２は前記熱水槽２０内にある水を加熱して熱水を形成している。また、前記熱水供給モジュール２は、いくつかのパイプを介して前記熱水槽２０に接続する揚水ポンプ（図示されていない）をさらに包括することができ、前記熱水槽２０中の水が不足している場合、前記揚水ポンプは前記熱水槽２０内に水を補充して前記熱水槽２０が加熱を行っている。
【００３４】
前記抽出槽３には、上方に向かって開放する抽出槽開口３１が設けられ、且つ前記抽出槽３は、第一パイプ１１を利用して前記抽出槽開口３１から前記熱水モジュール２の前記熱水出口２１に接続し、前記熱水出口２１が供給する熱水を受け入れることができ、且つ前記抽出槽３は、ドリンクの飲用一回分の供給量を蓄積することができる収容空間を有している。また、前記第一パイプ１１上には第一制御バルブ１６が設けられ、前記熱水出口２１は前記第一制御バルブ１６を介して前記抽出槽３に連通し、且つ前記第一制御バルブ１６は、前記熱水出口２１が前記抽出槽３に対して供給する熱水の開閉時機を制御することができる。
【００３５】
また、図５乃至図８に図示されているとおり、前記冷却チャンバ４の内部には水或いはその他の冷却液体である冷却媒体が充填されている。前記冷却モジュール５は、前記冷却チャンバ４と結合し合う冷却ユニット５１と、前記冷却ユニット５１に接続する圧縮機５２とを包括している。具体的にいうと、前記冷却ユニット５１は、冷媒管であって、前記冷媒管内は冷媒が充填されており、前記冷却ユニット５１は、繞設するように、前記冷却チャンバ４の一つ或いは一つ以上の熱伝導作用に用いる外壁に接触している。これにより、前記圧縮器５２は、冷媒が前記冷却ユニット５１内における循環を促進することができ、前記冷却ユニット５１内の冷媒は、前記冷却チャンバ４にある熱伝導に用いる外壁を介してその内部にある冷却媒体と熱交換作用を発生させ、前記冷却チャンバ４内部の冷却媒体を冷却し、例えば、前記冷却チャンバ４内にある水を冷却して氷水を形成し、且つ氷水を安定した低温状態に保持している。
【００３６】
前記ドリンク冷却セット６は、チューブ状とすることで、前記冷却チャンバ４内部に穿設するドリンク送出し経路６０を構成し、前記ドリンク送出し経路６０中にあるドリンクを前記冷却チャンバ４内にある冷却媒体との間で熱交換作用を形成し、前記ドリンク送出し経路６０の一端は第二パイプ１２を利用して前記抽出槽３に接続し、もう一端をドリンク供給口６１に設けている。好ましい実施例において、前記ドリンク送出し経路６０は、前記冷却チャンバ４内に設ける螺旋形状の冷却螺旋管とすることができる。これにより、前記ドリンク冷却セット６の前記ドリンク送出し経路６０と前記冷却チャンバ４中の冷却媒体、即ち氷水との間で熱交換作用が発生する面積を増加させることができ、ホットドリンクをコールドドリンクに冷却させる速度と効率とを向上している。
【００３７】
前記ドリンク促進モジュール７は、前記ドリンク送出し経路６０上、特に前記抽出槽３及び前記ドリンク冷却セット６、即ち冷却螺旋管の間にある前記第二パイプ１２に設けられることで、前記抽出槽３内にあるドリンクを前記第二パイプ１２及び前記ドリンク送出し経路６０から迅速に通過させ、前記ドリンク供給口６１から前記本体１の外部に供給している。本実施例において、前記熱水供給モジュール２、前記抽出槽３、前記ドリンク冷却セット６及び前記ドリンク促進モジュール７は、複数設けることができ、また、前記熱水供給モジュール２、前記抽出槽３、前記冷却チャンバ４、前記冷却モジュール５、前記ドリンク冷却セット６及び前記ドリンク促進モジュール７は、前記本体１のベース１０頂部に設けることができ、さらにまた、前記熱水供給モジュール２、前記抽出槽３、前記冷却チャンバ４、前記冷却モジュール５、前記ドリンク冷却セット６及び前記ドリンク促進モジュール７は、前記ベース１０頂部と同じ平面上に設けることができる。
【００３８】
図８のように、使用する場合、まず、茶葉、ミルク、コーヒー或いはハーブ等の抽出対象を前記抽出槽開口３１を介して前記抽出槽３内に入れ、前記熱水供給モジュール２の熱水は、前記熱水出口２１、前記第一パイプ１１及び前記第一制御バルブ１６を介して前記抽出槽３に流れ込み、熱水は前記抽出槽開口３１を通過して下方にある前記抽出槽３内の抽出対象に対して注ぎ込み、熱水が抽出対象を溶解してホットドリンクを形成することを促進している。その後、前記ドリンク促進モジュール７は、図９乃至図１１に図示されているとおり、前記抽出槽３内にあるホットドリンクが前記第二パイプを介して前記ドリンク冷却セット６の前記ドリンク送出し経路６０内に流れ込み、前記ドリンク送出し経路６０を迅速に通過して前記ドリンク供給口６１から迅速に供給されるように促進している。この期間中、前記ホットドリンクは、前記ドリンク冷却セット６の前記ドリンク送出し経路６０、即ち冷却螺旋管内において、前記冷却チャンバ４内にある前記冷却媒体、即ち水と熱交換作用を発生させ、急速冷却によってコールドドリンクを形成し、このコールドドリンクを前記ドリンク供給口６１を介して供給することから、使用上とても便利なものとなっている。
【００３９】
前記ドリンク促進モジュール７は、強制的に前記抽出槽３内にあるホットドリンクを前記ドリンク冷却セット６の前記ドリンク送出し経路６０及び前記ドリンク供給口６１に迅速に通過させることから、前記本体１内部にあるドリンクを迅速に供給できるように促進する能力を備えている。このため、本考案に係る、前記熱水供給モジュール２、前記抽出槽３、前記冷却チャンバ４、前記冷却モジュール５、前記ドリンク冷却セット６及び前記ドリンク促進モジュール７は、上下に設置せずに、同じ平面上に設置することができることから、体積を大幅に縮小することができ、前記本体１が占用している空間を低減することができる。
【００４０】
さらに説明すると、本考案は、従来にある予めコールドドリンクを貯蔵することでコールドドリンクが延室し易く且つ不衛生等の不具合を防ぐため、前記抽出槽３にあるフレッシュなホットドリンクを前記ドリンク冷却セット６の前記ドリンク送出し経路６０を介して前記冷却チャンバ４内にある冷却媒体と熱交換を即時に行い、急速冷却してコールドドリンクにしており、さらに前記抽出槽３の収容空間は飲用一回分の供給量を提供することで、予め冷蔵せずに即時に提供できるという効果を達成しており、これにより、ドリンクの衛生面及び氷を加えずに好ましいフレッシュな風味を確保し、且つドリンクの供給温度を安定させることができるため、エネルギーを節約することができる。
【００４１】
特に、前記ドリンク冷却セット６の前記ドリンク送出し経路６０上に設置する前記ドリンク促進モジュール７によって、前記抽出槽３が飲用一回分の供給量のドリンクしかない、即ち従来にあるドリンクの供給量が不足している場合であっても、前記本体１内部の動力を用いて飲用一回分の供給量を供給することを全自動的に促進することで、ドリンクを迅速に供給することを促進するという効果を達成し、コールドドリンクの供給速度を大幅に向上させ、便利性及び実用的効果を向上している。
【００４２】
このことから、上述したフレッシュなホットドリンクを即時に急速冷却してコールドドリンクにし、且つそれを迅速に供給することで、上述した従来のコールドドリンクマシーン技術にある衛生面の欠如、氷を加えることによって味に影響を及ぼすこと、エネルギー消費量が大きいこと、ドリンクの供給温度の不安定、体積が大きいこと及びドリンクが自然に流出する速度が遅くて使用上不便であること等の課題を克服している。
【００４３】
また、好ましい実施例において、前記ドリンク促進モジュール７はポンプ（例えば、揚水ポンプ）であって、使用する際、前記ポンプによって前記抽出槽３内にあるドリンクが前記ドリンク送出し経路６０及び前記ドリンク供給口６１を迅速に通過して供給されている。これにより、抽出対象が完全にドリンク中に溶解しており、また、粉末状粒子、果肉或いは繊維等の固体を有していない場合、通常のポンプを前記ドリンク促進モジュール７とすることができる。
【００４４】
また、その他の好ましい実施例において、図５乃至図７に図示されているとおり、前記ドリンク促進モジュール７は、圧力転換室７０（例えば、気圧変換室）、負圧源７１（例えば、負圧気体源）及び正圧源７４（例えば、高圧気体源）を包括しており、前記負圧源７１は、第一圧力管１３を介して前記圧力転換室７０に連通し、前記正圧源７４は、第二圧力管１４を介して前記圧力転換室７０に連通し、前記圧力転換室７０は、多岐管１５を介して前記抽出槽３及び前記ドリンク冷却セット６の間にある前記第二パイプ１２上に連通し、さらに前記多岐管１５及び前記第二パイプ１２を介して前記ドリンク送出し経路６０上に設けている。前記第二パイプ１２及び前記多岐管１５の間には第二制御バルブ１７が接続され、前記ドリンク送出し経路６０は前記第二制御バルブ１７を介して前記圧力転換室７０に連通している。前記第一圧力管１３上には第三制御バルブ１８が設けられ、前記負圧源７１は前記第三制御バルブ１８を介して前記圧力転換室７０に連通している。前記第二圧力管１４上には第四制御バルブ１９が設けられ、前記正圧源７４は前記第四制御バルブ１９を介して前記圧力転換室７０に連通している。
【００４５】
具体的にいうと、前記負圧源７１は、負圧タンク７２（例えば、真空タンク）と、前記負圧タンク７２に連通する負圧製造機７３（例えば、真空機器）とを包括し、前記負圧タンク７２は前記第一圧力管１３及び前記第三制御バルブ１８を介して前記圧力転換室７０に連通し、前記負圧製造器７３は前記負圧タンク７２に対し負圧製造工程を実施して前記負圧タンク７２内部に負圧吸引力を発生させている。前記正圧源７４は、正圧タンク７５（例えば、高圧タンク）と、前記正圧タンク７５に連通する正圧製造機７６（例えば、気体圧縮機）とを包括し、前記正圧タンク７５は、前記第二圧力管１４及び前記第四制御バルブ１９を介して前記圧力転換室７０に連通し、前記正圧製造器７６は前記正圧タンク７５内部に対し正圧媒体（高圧気体）を注入して前記正圧タンク７５内部に正圧押出力を発生させている。
【００４６】
図９のように、まず前記第三バルブ１８は、前記負圧源７１の前記負圧タンク７２を開き、前記第一圧力管１３を介し、前記圧力転換室７０を連通して前記圧力転換室７０に負圧吸引力を発生させ、同時に、前記第二制御バルブ１７は、前記抽出槽３を開き、前記第二パイプ１２及び前記多岐管１５を介し、前記圧力転換室７０を連通して前記抽出槽３内にあるホットドリンクを前記圧力転換室７０の負圧吸引力で吸引し、前記圧力転換室７０に迅速に流れ込んでいる。次に、前記第三制御バルブ１８は、前記負圧タンク７２を閉め、前記第一圧力管１３を介し、前記圧力転換室７０に連通して前記圧力転換室７０中の負圧吸引力を放出し、同時に、前記第二制御バルブ１７は、前記抽出槽３を閉め、前記第二パイプ１２及び前記多岐管１５を介し、前記圧力転換室７０を連通して前記圧力転換室７０内にホットドリンクを一時的に閉じ込めている。
【００４７】
その後、図１０及び図１１のように、前記第四制御バルブ１９は、前記正圧源７４の前記正圧タンク７５を開き、前記第二圧力管１４を介し、前記圧力転換室７０に連通して前記正圧タンク７５内にある正圧媒体を前記圧力転換室７０に注入し、前記圧力転換室７０内部に正圧押出力を発生させ、同時に、前記第二制御バルブ１７は、前記圧力転換室７０を開き、前記多岐管１５及び前記第二パイプ１２を介し、前記ドリンク冷却セット６を前記ドリンク供給口６１に連通し、前記圧力転換室７０内にある正圧押出力で前記圧力転換室７０内にあるホットドリンクを前記ドリンク冷却セット６及び前記ドリンク供給口６１に入り込ませて通過させている。次に、前記第四制御バルブ１９は、前記正圧タンク７５をを閉め、前記第二圧力管１４を介し、前記圧力転換室７０に連通して前記圧力転換室７０中の正圧押出力を放出し、同時に、前記第二制御バルブ１７は、前記圧力転換室７０を閉め、前記多岐管１５及び前記第二パイプ１２を介し、前記ドリンク冷却セット６に連通している。
【００４８】
これにより、抽出対象から完全に溶解されていなかったり、粉末状粒子、果肉或いは繊維等の固体を有したりする場合、上述したようなポンプをドリンク促進モジュール７とした時、ドリンク中の固体がポンプ内に付着して洗浄し難いため、このような場合、前記圧力転換室７０、前記負圧源７１及び前記正圧源７４を有する前記ドリンク促進モジュール７を用いることができる。
【００４９】
図５及び図７に図示されているとおり、好ましい実施例において、前記第一制御バルブ１６、前記第二制御バルブ１７、前記第三制御バルブ１８及び前記第四制御バルブ１９は、前記冷却チャンバ４の頂部外壁に配列するように固定することができる。これにより、前記ドリンク送出し経路６０、前記圧力転換室７０、前記負圧源７１及び前記正圧源７４は、それぞれ前記第一パイプ１１、前記第二パイプ１２、前記第一圧力管１３、前記第二圧力管１４及び前記多岐管１５を介して前記第一制御バルブ１６、前記第二制御バルブ１７、前記第三制御バルブ１８及び前記第四制御バルブ１９と接続し合い、取付け取外し、交換及びメンテナンス上の便利性を向上している。
【００５０】
また、その他の好ましい実施例において、前記ドリンク冷却セット６の冷却螺旋管は、可塑性プラスチックチューブ、好ましくはシリコンチューブが螺旋することにより構成している。これにより、冷却螺旋管が供給するドリンクが冷却しきれていない場合、前記冷却モジュール５が前記冷却チャンバ４内にある冷却媒体に対する冷却温度をより低下させると消費電力が大きくなり、金属製の冷却螺旋管の長さを長くすることで冷却効果の向上を図ろうとすると、金属製の冷却螺旋管では製造コストが大幅に増加し、メンテナンスや部品の交換等が困難になる上、錆び易くなり、このような場合、上述した可塑性プラスチックチューブを冷却螺旋管とすることで、製造コストが低く抑えられる上、部品交換やメンテナンスが行い易い等の効果を発生することができる。
【００５１】
また、その他の好ましい実施例において、前記熱水出口２１は、前記抽出槽３内に入り込み、且つその外壁に前記抽出槽３内で熱水を放射状に呈するように噴出する複数の噴水孔８１を設ける管状の熱水供給器８を設置している。これにより、前記熱水出口２１が前記抽出槽３内に向かって熱水を供給する場合、熱水は前記熱水供給器８の前記噴水孔８１を介して前記抽出槽３に放射状に噴出し、循環水流を形成することで、前記抽出槽３内にある抽出対象を均一に分散且つ溶解している。また、前記抽出槽３は、前記抽出槽３内に入り込む撹拌部材９１を設ける撹拌器９も設置することができる。これにより、前記撹拌器９の前記撹拌部材９１は、前記抽出槽３内において高速に転動することで、前記抽出槽３内にある抽出対象と熱水とを均一に撹拌及び混合している。
【００５２】
また、その他の好ましい実施例において、前記抽出槽３の外壁は、加熱器３２を繞設している。これにより、前記抽出槽３内にある熱水及び抽出対象が混合してホットドリンクとなった際、前記抽出槽３内のホットドリンクを継続的に加熱し、ホットドリンク中の抽出対象はより好ましい溶解効果を発生させることができる。
【００５３】
上述したことは、本考案の好ましい実施例に過ぎず、本考案を限定するものではなく、本考案で請求する範囲及び精神を逸脱しない状況下において行う変更や修正等は、本考案に属するものである。
【符号の説明】
【００５４】
１              本体
１００          本体
１０            ベース
１１０          ベース
１１            第一パイプ
１２            第二パイプ
１３            第一圧力管
１４            第二圧力管
１５            多岐管
１６            第一制御バルブ
２４０          第一制御バルブ
１７            第二制御バルブ
６２０          第二制御バルブ
１８            第三制御バルブ
１９            第四制御バルブ
２              熱水供給モジュール
２００          熱水供給モジュール
２０            熱水槽
２１０          熱水槽
２１            熱水出口
２３０          熱水出口
２２            加熱器
３２            加熱器
３２０          加熱器
３              抽出槽
３００          抽出槽
３１            抽出槽開口
４              冷却チャンバ
４００          冷却チャンバ
５              冷却モジュール
５００          冷却モジュール
５１            冷却ユニット
５１０          冷却ユニット
５２            圧縮機
５２０          圧縮機
６              ドリンク冷却セット
６００          ドリンク冷却セット
６０            ドリンク送出し経路
６１            ドリンク供給口
６１０          ドリンク供給口
７              ドリンク促進モジュール
７０            圧力転換室
７１            負圧源
７２            負圧タンク
７３            負圧製造機
７４            正圧源
７５            正圧タンク
７６            正圧製造機
８              熱水供給器
８１            噴水孔
９              撹拌器
９１            撹拌部材
１２０          排水槽
２２０          加熱素子
２５０          揚水ポンプ
２６０          パイプ
７００          濾過器
７１０          濾過器開口
７２０          濾過用通孔
【図１】
0003201536.tif 000003
【図２】
0003201536.tif 000004
【図３】
0003201536.tif 000005
【図４】
0003201536.tif 000006
【図５】
0003201536.tif 000007
【図６】
0003201536.tif 000008
【図７】
0003201536.tif 000009
【図８】
0003201536.tif 000010
【図９】
0003201536.tif 000011
【図１０】
0003201536.tif 000012
【図１１】
0003201536.tif 000013